(57)【要約】【課題】折り位置を表示する画像処理装置において、ユーザの意図する折り位置を効率的に設定できるようにする。【解決手段】原稿を読取手段１から入力し、入力画像を画像記憶手段２に記憶するとともに、表示手段６にプレビュー画像を表示する。キー入力手段７から折り位置を入力すると、山折りまたは谷折りの折り位置を、入力画像に合成して表示する。折り線と画像が最も重複する箇所を、画面の中心に表示することもできるし、最端の折り位置を画面の中心に表示することもできる。折り位置を確認しながら、折り位置の設定を修正する。入力画像を印刷し、決定された折り位置に従って印刷用紙を折り畳む。このようにして、印刷用紙が意図しない位置で折られないようにできる。【選択図】図１
2007219429.tif 000002
【特許請求の範囲】
【請求項１】
画像を入力して入力画像を得る読取手段と、前記入力画像を記憶する画像記憶手段と、前記入力画像を表示する表示手段と、折り位置に関する指示を入力するキー入力手段と、前記表示手段と前記キー入力手段の制御を行う操作制御手段と、指示された折り位置を前記表示手段に表示させる表示制御手段とを具備することを特徴とする画像処理装置。
【請求項２】
前記キー入力手段に、前記折り位置の修正指示を入力する手段を設け、前記表示制御手段に、修正された折り位置を前記表示手段に直ちに表示させる手段を設けたことを特徴とする請求項１記載の画像処理装置。
【請求項３】
前記表示制御手段に、前記折り位置を入力画像に重ねて前記表示手段に表示させる手段を設けたことを特徴とする請求項１または２に記載の画像処理装置。
【請求項４】
前記表示制御手段に、前記入力画像の画像部分と折り線の重なりが最も多い領域を前記表示手段の中心に表示させる手段を設けたことを特徴とする請求項１〜３のいずれかに記載の画像処理装置。
【請求項５】
前記表示制御手段に、最端の折り位置を前記表示手段の中心に表示させる手段を設けたことを特徴とする請求項１〜３のいずれかに記載の画像処理装置。
【請求項６】
前記表示制御手段に、前記入力画像と折り線の重なりの程度が最も少ない折り位置を求める手段を設けたことを特徴とする請求項１〜５のいずれかに記載の画像処理装置。
【請求項７】
最終的に決定された折り位置に従って印刷用紙を折り畳む折畳手段を設けたことを特徴とする請求項１〜６のいずれかに記載の画像処理装置。
【請求項８】
前記入力画像と前記折り位置の印を印刷用紙に印刷する印刷手段を設けたことを特徴とする請求項１〜６のいずれかに記載の画像処理装置。
【請求項９】
画像を入力して入力画像を得て記憶するとともに表示し、折り位置に関する指示を入力し、指示された折り位置を入力画像に重ねて表示し、前記折り位置の修正指示が入力されると、修正された折り位置を直ちに表示することを特徴とする画像処理制御方法。
【請求項１０】
前記入力画像の画像部分と折り線の重なりが最も多い領域を画面の中心に表示することを特徴とする請求項９記載の画像処理制御方法。
【請求項１１】
最端の折り位置を画面の中心に表示することを特徴とする請求項９記載の画像処理制御方法。
【請求項１２】
前記入力画像と折り線の重なりの程度が最も少ない折り位置を求めて、前記折り位置を入力画像に重ねて表示することを特徴とする請求項９〜１１のいずれかに記載の画像処理制御方法。
【請求項１３】
最終的に決定された折り位置に従って印刷用紙を折り畳むことを特徴とする請求項９〜１２のいずれかに記載の画像処理制御方法。
【請求項１４】
前記入力画像と前記折り位置の印を印刷用紙に印刷することを特徴とする請求項９〜１２のいずれかに記載の画像処理制御方法。
【発明の詳細な説明】
【技術分野】
【０００１】
本発明は、画像処理装置に関し、特に、折り位置を表示する画像処理装置に関する。
【背景技術】
【０００２】
従来、そのままでは封筒に入らない大きさのダイレクトメールや請求書などの原稿を複写する際には、封筒に入るサイズにするために、ジャバラ折りやクロス折りを行う折り装置が利用されている。このとき、折り幅を設定して複写することで、所望のサイズに折り畳まれた出力用紙を得ることができる。原稿画像に重ねて折り線を印刷して、複写された用紙を手で折り畳む場合もある。以下に、これに関連する従来技術の例をあげる。
【０００３】
特許文献１に開示された「画像形成装置」は、折位置マークをどこに形成すべきかの決定を、容易かつ好適になし得るものである。画像形成後の用紙を折り畳んだ時の折り畳みサイズを、入力手段で入力する。折り畳みサイズに応じて、用紙上における折位置マークの形成位置の算出を行う。折位置マークの形成位置に基づいて、折位置マークを用紙上に形成する。
【特許文献１】特開2005-212460号公報
【発明の開示】
【発明が解決しようとする課題】
【０００４】
しかし、従来の技術では、以下のような問題がある。折り位置を指定する際、出力される用紙のどこに折り線が入るかを、出力する前に知ることができないため、折りたくない画像位置に折り線が付けられて出力される可能性がある。
【０００５】
本発明の目的は、上記従来の問題を解決して、折り位置情報を表示してユーザに示すことで、ミスコピーによる用紙の無駄を防ぐと同時に、より効率的にユーザの期待する出力を得ることである。
【課題を解決するための手段】
【０００６】
上記の課題を解決するために、本発明では、画像処理装置を、画像を入力して入力画像を得る読取手段と、入力画像を記憶する画像記憶手段と、入力画像を表示する表示手段と、折り位置に関する指示を入力するキー入力手段と、表示手段とキー入力手段の制御を行う操作制御手段と、指示された折り位置を表示手段に表示させる表示制御手段とを具備する構成とした。
【０００７】
また、キー入力手段に、折り位置の修正指示を入力する手段を設け、表示制御手段に、修正された折り位置を表示手段に直ちに表示させる手段を設けた。また、表示制御手段に、折り位置を入力画像に重ねて表示手段に表示させる手段を設けた。また、表示制御手段に、入力画像の画像部分と折り線の重なりが最も多い領域を表示手段の中心に表示させる手段を設けた。また、表示制御手段に、最端の折り位置を表示手段の中心に表示させる手段を設けた。最終的に決定された折り位置に従って印刷用紙を折り畳む折畳手段を設けた。入力画像と折り位置の印を印刷用紙に印刷する印刷手段を設けた。
【発明の効果】
【０００８】
上記のように構成したことにより、折り位置をプレビュー画面で印刷前に確認して、ミスコピーによる用紙の無駄を防ぐことができる。表示を確認しながら、折り位置情報を編集することで、ユーザが希望する折り位置を、より早くより正確に設定できる。折り位置情報を印刷出力することで、折り機を持たないユーザでも、出力された折位置情報に従って手作業で正確に折れる。折り線と画像が最も重複する箇所を中心に表示することで、折り線をつけたくない画像に折り線が入っているかどうかを迅速に確認できる。最端となる折り位置を画面中心に表示することで、折り幅未満のために折られずに出力される端部の状態を迅速に確認できる。
【発明を実施するための最良の形態】
【０００９】
以下、本発明を実施するための最良の形態について、図１〜図３を参照しながら詳細に説明する。
【実施例】
【００１０】
本発明の実施例は、画像に折り線を重ねて表示し、表示画面で確認しながら折り位置を編集できる画像処理装置である。
【００１１】
図１（ａ）は、本発明の実施例における画像処理装置（複写機）の機能ブロック図である。図１（ａ）において、読取手段１は、画像入力手段のスキャナである。画像記憶手段２は、読み取った画像データを格納しておくHDDとRAMである。印刷手段３は、画像出力手段のプリンタである。折畳手段４は、印刷された紙を折り畳む手段である。操作制御手段５は、キーボードや表示器やタッチパネルである。表示手段６は、入力画像を表示するディスプレイである。キー入力手段７は、キーボードやタッチパネルなどの入力手段であり、ここでは物理的なキーの有無は問題ではない。メインコントローラ８は、各手段を制御する制御部である。
【００１２】
図１（ｂ）は、ジャバラ折りを説明する図である。図１（ｃ）は、クロス折りを説明する図である。図２は、操作部と動作手順を示す図である。図３（ａ）は、表示を確認しながら折り位置を編集する方法を示す概念図である。図３（ｂ）は、折り線と画像が最も重複する箇所を、プレビューの中心に表示する様子を示す図である。図３（ｃ）は、最端の折り位置をプレビュー画面の中心に表示する様子を示す図である。折り位置は、紙を折る位置のことであり、折り線は、折り位置で紙を折ったときの折り目を具体的に示す線のことである。
【００１３】
上記のように構成された本発明の実施例における画像処理装置の機能と動作を説明する。最初に、図１（ａ）を参照しながら、画像処理装置の機能の概要を説明する。ユーザは、印刷用紙をどのように折り畳むかの指示を、キー入力手段７から入力する。ADFに原稿を載せ、コピーキーを押すと、読取手段１により原稿が読み取られる。読み取られた原稿画像は、画像記憶手段２に転送され記憶される。入力された原稿画像をもとにして、プレビュー用の画像が作成される。プレビュー用の画像を、表示手段６に表示する。指示通りに折り畳まれた場合の折り線も表示する。印刷指示に従って、印刷手段３で画像を印刷する。折畳手段４で、印刷した紙を折り畳む。
【００１４】
次に、図１（ｂ）と図１（ｃ）を参照しながら、折り畳み動作について説明する。折畳手段４では、印刷手段３から出力された出力用紙を、ジャバラ折りまたはクロス折りに折り畳むことができる。ジャバラ折りとは、図１（ｂ）に示すように、出力用紙の搬送方向と垂直な折り線となるように、山折りと谷折りを繰り返す折り方である。クロス折りとは、図１（ｃ）に示すように、出力用紙の搬送方向と平行な折り線となるように、山折りと谷折りを繰り返す折り方である。操作制御手段５では、印刷手段３で印刷された出力用紙を、折畳手段４にて、ジャバラ折りにする、または、クロス折りにする、または、折らないかのいずれかを、キー入力手段７で設定することができる。出力用紙をジャバラ折りにする際は、ジャバラ折りの折り幅を指定することができる。出力用紙をクロス折りにする際は、折り畳み後の出力用紙サイズをA4やB5などの大きさで指定するか、ジャバラ折りの折り幅とクロス折りの折り幅をそれぞれ指定することができる。
【００１５】
次に、図２（ａ）を参照しながら、表示手段６について説明する。ADFに原稿を載せ、プリントキー11を押下すると、読取手段１により原稿が読み取られ、読み取られた入力画像は、画像記憶手段２に転送され記憶される。その後、入力画像はメインコントローラ８に転送され、入力画像をもとに印刷用画像と、折り位置情報が付加されたプレビュー用画像が作成される。プレビュー用画像は、操作制御手段５と表示手段６に転送される。表示手段６にプレビュー用画像を表示する。
【００１６】
次に、図２（ｂ）を参照しながら、プレビュー表示の動作手順を説明する。操作制御手段５からプレビューキー12の押下信号を受信したメインコントローラ８は、ステップ１で、プレビュー表示要求であるか否かを調べる。プレビュー表示要求でない場合は、処理を終了する。プレビュー表示要求である場合には、ステップ２で、プレビュー表示準備として、画像記憶手段２から入力画像を受け取り、印刷用画像とプレビュー用画像を作成する。
【００１７】
ステップ３で、メインコントローラ８は、折りモードONか否かを調べる。折りモードがOFFの場合には、ステップ６で、プレビュー表示を行う。折りモードONの場合には、ステップ４で、設定されている折り位置情報が「折り線なし」であるか否かを調べる。「折り線なし」の場合には、ステップ６で、プレビュー表示を行う。「折り線なし」以外の場合には、ステップ５で、プレビュー用画像に対して、折り位置情報を付加する。ステップ６で、プレビュー用画像を操作制御手段５へ送る。操作制御手段５は、表示手段６にプレビュー用画像を表示する。
【００１８】
次に、図３（ａ）を参照しながら、表示手段６を確認しながら、折り位置情報を編集する方法を説明する。ユーザが「折り編集」タブ13を押下することにより、操作制御手段５は、表示手段６の表示画面を、情報画面から折り編集画面31へ切り替えて表示する。折り編集画面31に示される各種キーを押下することにより、操作制御手段５からメインコントローラ８へ、折り位置情報が通知される。メインコントローラ８で、折り位置情報に矛盾がないことを判定した後、折り位置情報を更新する。その後、メインコントローラは、更新した折り位置情報を操作制御手段５へ通知する。操作制御手段５は、更新された折位置情報を、折り編集領域と画像表示領域に反映させる。
【００１９】
以下に、ユーザによる折り位置情報の編集例を示す。ユーザが、折りの種類を、「ジャバラ折り」から「クロス折り」に変更する際には、「クロス折り」ボタン14を押下する。ユーザが、折りの方向を、「左折り」から「上折り」に変更する際には、「上折り」ボタン15を押下する。ユーザが、折り幅（ヨコ）を現在値より狭く変更する際には、矢印ボタン16を押下する。ユーザが、折り線の印刷を希望する際には、「する」ボタン17を押下する。ユーザが、タテ方向の谷折り線の模様を変更する際には、まず、「タテ」ボタン18を選択する。次に、「模様」ボタン19を押下することで、選択肢が表示される。そこで、変更したい模様のキーを押下する。模様の選択肢には、少なくとも、線なし、実線、点線、補助線がある。
【００２０】
ユーザが、タテ方向の谷折り線の色を変更する際には、まず、「タテ」ボタン18を選択する。次に「色」ボタン20を押下することで、選択肢が表示される。そこで、変更したい色のキーを押下する。色の選択肢には、少なくとも、黒、白、赤、橙、黄、緑、青、藍、紫がある。ユーザが、タテ方向の谷折り線の太さを、現在値より細くする際には、矢印ボタン21を押下する。ユーザが、現在の山折りを谷折りへ、または、谷折りを山折りへ逆転させたい場合は、「山折り⇔谷折り」ボタン22を押下する。
【００２１】
次に、図３（ｂ）を参照しながら、折り線と画像が最も重複する箇所をプレビュー画面の中心に表示する方法を説明する。ユーザが、プレビューキー12を押下すると、メインコントローラ８は、プレビュー用画像に対し、折り位置情報を付加する。その後、メインコントローラ８は、プレビュー用画像内の、折り線を形成する各ドットを中心とする半径αの円33の濃度分布を計算する。半径αの円33の大きさは、折り線の間隔程度の大きさとする。濃度分布の高い箇所ほど、画像と折り線が重なる箇所であると判断し、表示優先順位を高く設定する。メインコントローラ８は、この優先順位を、折り位置情報として更新し、プレビュー用画像に反映する。その後、操作制御手段５に送信すると、操作制御手段５は、優先順位の最も高い位置を、デフォルトのプレビュー位置として、表示手段６に表示する。その後、ユーザが「次へ」ボタン23を押下すると、操作制御手段５は、現在の優先順位より１つ順位の低い位置を、画像表示領域32に表示する。
【００２２】
次に、図３（ｃ）を参照しながら、最終折り位置34を、プレビュー画面の中心に表示する方法を説明する。ユーザが、プレビューキー12を押下すると、メインコントローラ８が、プレビュー用画像を操作制御手段５に送信し、操作制御手段５が、画像表示領域32に表示する。その後、ユーザが、「最終折り位置表示キー」24を押下すると、操作制御手段５は、メインコントローラ８から通知されている折位置情報に基づいて、最終折り位置34を算出し、画像表示領域32に表示する。
【００２３】
次に、折り線が文字などに重なった場合に、自動で画像全体をずらして重なりを回避する方法を説明する。画像の濃度データを折り線方向に積算して、折り線に直交する線上への射影を求める。折り線の位置の射影値をすべて加算して、射影加算値を求める。画像を移動できる範囲で移動して、それぞれの位置で射影加算値を求める。射影加算値が最も小さくなる画像の移動位置を求めて、画像と折り線の対応位置とする。折り線に重なってもよい画像については、予め除いておくことで、同様に計算できる。例えば、濃度が低い背景は折り線との重なりを考慮する必要がないという場合であれば、濃度閾値を設定して、それ以上の濃度の画像についてのみ射影値を求めればよい。文字のみについて重なりを考慮する必要がある場合は、文字についてのみ射影値を求める。空白が多い画像の場合は、射影加算値が０の部分が連続するので、射影加算値が０の領域の中央に折り線が来るように設定する。クロス折りの場合は、直交する両方向の折り線について同様に計算する。
【００２４】
次に、図３（ａ）を参照しながら、折り位置情報を印刷する方法を説明する。ユーザが、印刷「する」ボタン17を選択している状態で、プリントキー11（図２（ａ））を押下すると、操作制御手段５からメインコントローラ８へ、印刷開始の要求がなされる。メインコントローラ８は、現時点で設定されている折り位置情報を含む印刷条件に、矛盾がないことを判断した後、印刷用画像に折り位置情報を反映させ、画像記憶手段２に送信する。続いて、メインコントローラ８が、印刷手段に対し印刷の要求をすると、印刷手段は、画像記憶手段２から印刷用画像を取得し、印刷を行う。これにより、折り位置情報が印刷出力に反映される。
【００２５】
また、プレビュー画面では実線で折り位置情報を確認しつつ、印刷出力としては自動で補助線に変換した方が、ユーザにとって余分な情報が出力されずメリットがあると判断される場合には、メインコントローラ８が、印刷用画像に折り位置情報を反映させる際、折り位置情報を「補助線」に変換し、画像記憶手段２に送信することも可能である。
【００２６】
上記のように、本発明の実施例では、画像処理装置を、画像に折り線を重ねて表示し、表示画面で確認しながら折り位置を編集できる構成としたので、ユーザが希望する折り位置を、すばやく正確に設定でき、ミスコピーによる用紙の無駄を防ぐことができる。
【産業上の利用可能性】
【００２７】
本発明の画像処理装置は、折り位置を表示して編集できる折り機付きの画像処理装置として最適である。折り機付きでない場合でも、印刷された折り位置情報に従って手で折るようにすることで利用できる。
【図面の簡単な説明】
【００２８】
【図１】本発明の実施例における画像処理装置（複写機）の機能ブロック図と、ジャバラ折りとクロス折りを説明する図である。
【図２】本発明の実施例における画像処理装置の操作部と処理手順を示す図である。
【図３】本発明の実施例における画像処理装置の表示を確認しながら折り位置を編集する方法を示す概念図と、折り線と画像が最も重複する箇所をプレビュー画面の中心に表示する様子を示す図と、最端の折り位置をプレビュー画面の中心に表示する様子を示す図である。
【符号の説明】
【００２９】
１・・・読取手段、２・・・画像記憶手段、３・・・印刷手段、４・・・折畳手段、５・・・操作制御手段、６・・・表示手段、７・・・キー入力手段、８・・・メインコントローラ、11・・プリントキー、12・・・プレビューキー、13・・・折り編集タブ、14・・・クロス折りボタン、15・・・上折りボタン、16・・・矢印ボタン、17・・・「する」ボタン、18・・・「タテ」ボタン、19・・・「模様」ボタン、20・・・「色」ボタン、21・・・矢印ボタン、22・・・「山折り⇔谷折り」ボタン、23・・・「次へ」ボタン、31・・・編集画面、32・・・画像表示領域、33・・・円、34・・・最端の折り位置。
【図１】
2007219429.tif 000003
【図２】
2007219429.tif 000004
【図３】
2007219429.tif 000005